(57)【要約】【課題】  ユーザにとってより見やすく、分かりやすいエレベータ等のデザインシミュレーション装置を実現すること。【解決手段】  エレベータのかごと乗場のデザインシミュレーションを行う場合には、項目選択部１１から「かご仕様」を選択して、かご天井，床等の仕様を決め、かごイメージ画面１２に表示させる。同様に「乗場仕様」を選択して、乗場の仕様を決め、乗場イメージ画面１４に表示させる。次に「設置環境」を選択してエレベータが設置される建物の壁や床を乗場イメージ画面１４に表示させ、更に「照光」を選択して建物の照明や太陽光の調節を行い、「視点」を選択してエレベータを見る高さ・角度を調節し、「視認」を選択して、視覚障害者の見え方を擬似的に表示する。これらによりエレベータを据え付けたときのイメージをより正確に理解できるようになる。【選択図】      図２
2006232480.tif 000002
【特許請求の範囲】
【請求項１】
エレベータ等に関するデータを格納しているデータベースと、このデータベースからデータを選択するデータ選択手段と、このデータ選択手段によって選択されたデータを表示する表示手段とを備えたものにおいて、
前記データ選択手段によって選択されたデータによって作成されるエレベータ等を、その設置環境とともに表示することを特徴とするエレベータ等のデザインシミュレーション装置。
【請求項２】
前記設置環境の照光を可変としたことを特徴とする請求項１に記載のエレベータ等のデザインシミュレーション装置。
【請求項３】
前記エレベータ等及び設置環境の視認表示を調整可能としたことを特徴とする請求項１又は２に記載のエレベータ等のデザインシミュレーション装置。
【請求項４】
エレベータ等に関するデータを格納しているデータベースと、このデータベースからデータを選択するデータ選択手段と、このデータ選択手段によって選択されたデータを表示する表示手段とを備えたものにおいて、
前記データ選択手段によって選択されたデータによって作成されるエレベータ等を、その視認表示を調整可能としたことを特徴とするエレベータ等のデザインシミュレーション装置。
【請求項５】
前記視認表示は、ピントの調整を可能とすることであることを特徴とする請求項３又は４に記載のエレベータ等のデザインシミュレーション装置。
【請求項６】
前記視認表示は、かすんで表示させることであることを特徴とする請求項３又は４に記載のエレベータ等のデザインシミュレーション装置。
【請求項７】
前記視認表示は、一部の色を省略又は変更して表示することであることを特徴とする請求項３又は４に記載のエレベータ等のデザインシミュレーション装置。
【請求項８】
前記エレベータ等は、照度が可変の照光体を含んでいることを特徴とする、請求項１乃至７の何れかに記載のエレベータ等のデザインシミュレーション装置。
【発明の詳細な説明】
【技術分野】
【０００１】
本発明は、エレベータのかごや乗場等のデザインシミュレーションを行う装置に関するものである。
【背景技術】
【０００２】
図９〜図１１は、エレベータの新規仕様の設定を支援するシステムの例である（特許文献１参照）。図９はシステムの構成を示すブロック図で、図１０は図９の動作説明図、図１１は電子モックアップ画面の説明図である。
【０００３】
エレベータ新規仕様設定用サーバ１と複数のユーザ端末２とはインターネット３を介して接続されている。またエレベータ新規仕様設定用サーバ１は、ユーザ端末２からのアクセスに応じるためエレベータ情報管理データベース４に対してデータの読み出し及び書き込みを行っている。
エレベータ新規仕様設定用サーバ１は、ＰＤＭ（プロダクツ・データ・マネージメント）システム５を有しており、更にこのＰＤＭシステム５内にユーザ認証手段６、新規仕様記入画面提供手段７、見積り送付手段８、新規仕様データ登録手段９を有している。
【０００４】
ユーザ認証手段６は、ユーザ端末２からのアクセスに応じてＩＤ番号の発行や認証を行うものである。新規仕様記入画面提供手段７は、ユーザ認証手段６がＩＤ番号を認証したユーザ端末２に対してエレベータ新規設置のために必要な仕様データを記入するための画面を提供するものである。見積り送付手段８は、ユーザ端末２が前記画面に記入してきた仕様データに基づきエレベータの価格及び工期を演算し、この演算結果に基づく見積り結果をユーザ端末２に送付するものである。新規仕様データ登録手段９は、見積り送付手段８がユーザ端末２に見積り結果を送付した後、発注意思の有無を問い合わせるものであり、発注意思がある旨の最終確認を得た場合に、エレベータ情報管理データベース４に受注した旨、及びその新規仕様に関するデータを登録するものである。
【０００５】
次に、図９の動作を図１０のフローチャートにより説明する。エレベータ新規仕様設定用サーバ１に、何れかのユーザ端末２からアクセスがあると、ユーザ認証手段６がユーザ認証処理を行う（ＳＴ１）、そしてユーザがエレベータの見積もりを要求すると、新規仕様記入画面提供手段７はユーザが新規仕様を記入するために必要な一連の画面を提供する（ＳＴ２）。この画面では、白紙の状態から仕様を設定する場合に選択する「新規入力」ボタンと、既設物件の仕様データを参照又は流用することにより仕様を設定する場合に選択する「既設物件参照／流用」ボタンがあり、ユーザは何れかのボタンを選択するようになっている（ＳＴ３）。
【０００６】
いまユーザが「新規入力」を選択したとすると、新規仕様記入画面提供手段７はユーザ端末２に、「形式」、「エレベータ用途」、「定員」などの仕様項目入力画面を表示し、ユーザが全ての仕様を記入を完了する（ＳＴ４）と、新規仕様記入画面提供手段７は図１１に示す電子モックアップ画面９０１をユーザ端末２に表示する。この電子モックアップ画面９０１は、全体イメージ画面９０２、用品ユニットイメージ画面９０３、用品イメージ画面９０４により構成されており、この画面上で必要なデータを記入する（ＳＴ５）。
【０００７】
全体イメージ画面９０２は、エレベータの各主要個所の全体イメージを３次元的に表したものであり、図の例ではかご及びその周辺部分が３次元空間上に表されている。ここには物件情報表示欄９０５が設けられており、「製造番号」、「物件名」、「かご」、「ホールボタン」、「巻上機」等が表示される。但し、ＳＴ３で「新規入力」を選択したときには「製造番号」は表示されない。「同一仕様」ボタン９０６、「変更」ボタン９０７はＳＴ３で「既設物件参照／流用」を選択したときに使用される。「戻る」ボタン９０８は前の画面に戻るときに使用する。
【０００８】
全体イメージ画面９０２の下部に設けられている「シミュレーション」ボタン９０９をクリックすると、全体イメージ画面９０２に表示されているかご等が実際の動きと同様にシミュレーション動作を行う。「回転」ボタン９１０は、クリックした後、カーソルをドラッグすることにより、かご等を回転させることができる。したがって、ユーザは正面、側面など任意の方向からかご等を観察することができる。特殊リスト表示欄９１１は、用品ユニットイメージ画面９０３又は用品イメージ画面９０４において、ユーザが標準品以外のものを選択したときに表示する。
【０００９】
用品ユニットイメージ画面９０３は、全体イメージ画面９０２において表示された主要個所を構成する用品ユニットのイメージを３次元的に表したものである。ここには、各種の用品ユニットについての用品ユニットタグ９１２が付されており、ユーザはこのタグ９１２をクリックすることにより全体イメージ画面９０２の所望のユニットを表示することができる。図ではかごの用品ユニットが表示されている。用品ユニットイメージ画面９０３内には、仕様項目表示欄９１３が設けられており、画面イメージとリンクした各種の仕様項目についての標準仕様寸法が示されている。また、標準品以外で選択可能な特殊用品ユニット又は用品の名称を示した特殊リスト表示欄９１４が設けられており、ユーザはこの特殊リスト表示欄９１４に示されている名称をクリックすることにより、その特殊仕様の用品ユニット又は用品を選択することができる。ここで特殊仕様のものが選択されたときには、ユーザの注意を喚起するために、全体イメージ画面９０２の特殊リスト表示欄９１１にその名称が表示される。
【００１０】
用品イメージ画面９０４は、全体イメージ画面９０２において表示された主要個所を構成する用品を２次元的な簡単な図により示すものである。ここには、各種の用品についての用品タグ９１５が付されており、ユーザはこのタグ９１５をクリックすることによりその用品を用品イメージ画面９０４内に示すことができる。また、この用品イメージ画面９０４にも特殊リスト表示欄９１６が設けられており、標準品以外で選択可能な特殊用品の名称が表示されている。
これらの画面から、ユーザは全ての仕様を決定すると、仕様入力完了ボタン９１７をクリックする。
【００１１】
ユーザが仕様入力完了ボタン９１７をクリックすると、電子モックアップ画面９０１に記入された新規仕様データはユーザ端末２から見積もり送付手段８に出力される。そして、見積もり送付手段８は、この新規仕様データに基づき見積もり処理を開始してエレベータの価格及び工期を演算し、この演算に基づく見積もり結果をユーザ端末２側に送付して通知する（ＳＴ１０）。
そして、ユーザの発注意思を確認し（ＳＴ１１）、ユーザが発注した場合には（ＳＴ１２）、新規仕様データ登録手段９は、エレベータ情報管理データベース４の顧客データベースに登録するなど、必要なデータの登録を行う（ＳＴ１３）。
【００１２】
次に、ＳＴ３で「既設物件参照／流用」ボタンが選択された場合について説明する。ユーザが「既設物件参照／流用」ボタンを選択すると「用途」、「定員」等の検索項目欄を表示する画面が表示されるので、ユーザは各検索項目欄に該当するデータを記入して（ＳＴ６）、検索を実行する。すると該当する過去物件の一覧が表示される（ＳＴ７）。そこから何れかの物件をピックアップすると、図１１の電子モックアップ画面９０１が表示される。この場合、「新規入力」では表示されなかった物件情報表示欄９０５内の「製造番号」が表示される。
ユーザは、この電子モックアップ画面９０１上に表示された既設物件と同一仕様でよければ「同一仕様」ボタン９０６をクリックした後、「仕様入力完了」ボタン９１７をクリックすればよい（ＳＴ８）。また、この表示された既設物件の一部の仕様について変更を行いたければ「変更」ボタン９０７をクリックして、その一部の仕様について変更を行った後、「仕様入力完了」ボタン９１７をクリックする（ＳＴ８）。
【００１３】
ユーザが仕様入力完了ボタン９１７をクリックすると、電子モックアップ画面９０１に記入された仕様データは、ユーザ端末２から見積もり送付手段８に出力される。そして、見積もり送付手段８はこの仕様データに基づき見積もり処理を開始してエレベータの価格及び工期を演算する。この場合、見積もり送付手段８は、既設物件の仕様についてその流用の程度に応じて割引を行うものとし、割引率を決定する（ＳＴ９）。ＳＴ１０以降の処理は、既に説明したのと同じである。
【特許文献１】特開２００３−１７１０６９号公報
【発明の開示】
【発明が解決しようとする課題】
【００１４】
前記エレベータの新規仕様設定支援システムは、ユーザが自ら操作して、エレベータを発注するものであるため、システムが大掛かりとなる。そのため、営業担当者がユーザの元へ行って説明するためのプレゼンテーションや、販売促進ツールとして使用するには適当ではない。
本発明は、エレベータやエスカレータ等を据え付けたときの建物のデザインや照明とのマッチング、身体障害者の視点から見た状態などをシミュレーションすることにより、販売促進ツールなどに好適なデザインシミュレーション装置を実現することを目的としている。
【課題を解決するための手段】
【００１５】
本発明は、エレベータ等に関するデータを格納しているデータベースと、このデータベースからデータを選択するデータ選択手段と、このデータ選択手段によって選択されたデータを表示する表示手段とを備えたものにおいて、前記データ選択手段によって選択されたデータによって作成されるエレベータ等を、その設置環境とともに表示するものである。また前記設置環境の照光を可変としたものである。更に又前記エレベータ等及び設置環境の視認表示を調整可能としたものである。
【００１６】
更に本発明は、エレベータ等に関するデータを格納しているデータベースと、このデータベースからデータを選択するデータ選択手段と、このデータ選択手段によって選択されたデータを表示する表示手段とを備えたものにおいて、前記データ選択手段によって選択されたデータによって作成されるエレベータ等を、その視認表示を調整可能としたものである。
また、前記視認表示は、ピントの調整を可能とたり、かすんで表示させることであり、更に、一部又は全部の色を省略又は変更して表示することである。更に又、前記エレベータ等は、照度が可変の照光体を含んでいるものである。
【発明の効果】
【００１７】
本発明によれば、ユーザにとってより見やすく、理解しやすいエレベータ等のデザインシミュレーション装置を実現することができる。
【発明を実施するための最良の形態】
【００１８】
エレベータのかごと乗場のデザインシミュレーションを行う場合を例にとって、本発明の実施の形態を図１〜図８により説明する。図１は動作を説明するフローチャート、図２は仕様選択画面を示す図、図３〜図８は仕様選択画面の項目選択で選択された選択部の例である。
【００１９】
エレベータのデザインシミュレーションを行う場合には、まず図２に示す仕様選択画面を表示する（Ｓ１）。ここで、項目選択部１１で、「かご仕様」を選択すると（Ｓ２）、項目選択部１１の表示が図３に示すかご仕様選択部２０になる。ここで、天井、床、カーパネル等を選択すると、図示省略したデータベースから読み出されたデータが、かごイメージ画面１２に表示されるとともに、かご仕様表示部１３に選択されたデータが記載される。また図示省略しているが、かご仕様選択部２０にはオプションの項があり、手摺、窓付ドア、横型かご操作盤、標準外のインジケータ等を追加選択することができる。選択が済むと「戻る」をクリックして項目選択部１１に戻す。
【００２０】
次に、項目選択部１１から「乗場仕様」を選択する（Ｓ３）。ここでもかごの場合と同様に、図４に示す乗場仕様選択部３０で選択されたデータが、乗場イメージ画面１４、乗場仕様表示部１５に表示される。乗場仕様選択部３０のオプションの項目では、身障者用乗場ボタン、標準外のインジケータ等を選択できる。また乗場が設置される環境（建物壁、床など）も一緒に表示される。そして選択が済むと「戻る」をクリックして項目選択部１１に戻す。
【００２１】
このように、かごと乗場の仕様を決定すれば、エレベータのデザインを決定できる。この段階まで行うものは従来技術にも存在する。しかしこれだけでは、エレベータが据え付けられたときの現場の状況をより正確に理解するのは容易ではない。そこで、本実施の形態では更に他の選択肢を用意している。
【００２２】
項目選択部１１で「設置環境」を選択する（Ｓ４）と、図５に示す設置環境選択部４０が表示される。ここでは乗場イメージ画面１４に表示されている建物壁や床等のデータを表示する。既に建物のデータが決まっていて外部データとして登録されている場合にはそのデータを選択すると乗場イメージ画面１４に表示される。建物のデータが未定の場合には、予め用意されているサンプルデータ（壁Ｗ−１、床Ｆ−１など）から実際のイメージに近いものを選択して乗場イメージ画面１４に表示させる。これにより、エレベータを建物に据え付けた場合のイメージがより分かりやすくなる。そして選択が済むと「戻る」をクリックして項目選択部１１に戻す。
【００２３】
次に項目選択部１１で「照光」を選択する（Ｓ５）と、図６に示す照光選択部５０が表示される。ここでは、かご照明を調節することにより、かごイメージ画面１２に表示されている照明の明るさを変えることができる。これにより、照明の変化によるイメージの変化がより分かりやすくなる。また乗場環境照明を調節することにより、乗場イメージ画面１４の建物内の明るさの調節、更に乗場が外部に面しているときには時間経過による日照の変化に伴う明るさの変化を表示する。
ここでは省略しているが、かごイメージ画面１２に表示されている窓付ドアの窓からの光の調節や、季節による日照の変化を加えることもできる。更に、インジケータ、ホールランタン、かご操作盤等の表示の明るさを変えることもできる。これにより、実際のイメージにより近い表示を行うことができるとともに，最適な照明装置や表示装置を選ぶツールとすることができる。そして選択が済むと「戻る」をクリックして項目選択部１１に戻す。
【００２４】
更に項目選択部１１で「視点」を選択する（Ｓ６）と、図７に示す視点選択部６０が表示される。ここでは、上下左右の矢印をクリックすることにより、かごや乗場の表示を、視点を変えた位置からの表示に変えることができる。例えば、下方向の矢印をクリックして視点を下げていくことにより、子供や車椅子利用者の視点でかごや乗場を見ることができる。更に縦軸又は横軸を回転軸にした回転表示を追加することもできる。また矢印表示に代えて，キーボードやマウスを操作するようにしてもよい。これにより、多くの人が見やすく使いやすいエレベータ実現のためのツールとすることができる。そして選択が済むと「戻る」をクリックして項目選択部１１に戻す。
【００２５】
次に項目選択部１１で「視認」を選択する（Ｓ７）と、図８に示す視認選択部７０が表示される。ここでは、かごや乗場の見え方を変えることにより、視覚障害者によるかごや乗場の見え方を擬似的に表示することができる。例えば視認選択部７０で「ボカシ１」を選択すると、かごイメージ画面１２及び乗場イメージ画面１４の画像が、ピントがずれて表示される。これにより、視力の弱い人の見え方を擬似的に表示できる。また「かすみ１」を選択すると白内障の人の見え方を擬似的に表示できる。さらに「色補正１」を選択すると、一部又は全部の色を省略又は変更して表示する。これにより色覚異常者の見え方を擬似的に表示できる。これらの項目は、それぞれ種類や強弱があるので、各項目は複数種類用意されている。
これらにより、視覚障害者に使いやすい壁、床などの色や材質、照明の選択等ができるようになり、バリアフリーエレベータ実現のためのツールとすることができる。そして選択が済むと「戻る」をクリックして項目選択部１１に戻す。
【００２６】
仕様入力が終了すると仕様入力完了１６をクリックして終了する。その後、必要に応じて印刷したり、データのを格納等を行う。
【００２７】
上記のように本実施の形態によれば、従来に比べ利用者にとってより見やすい、エレベータのかごや乗場などのデザインシミュレーション装置を実現できる。
更に、かごや乗場の仕様選択において、視覚障害者のための点字プレートや案内タイル等を選択項目に加えてもよい。
また前記実施の形態では、かご仕様選択部２０等は全項目を縦一列に表示しているが、内容ごとに分けてもよい、例えば、天井、カーパネル、床、オプションの項目を表示し，それぞれの項目をクリックすると形式，色の選択部が表示された細項目が出てくるようにしてもよい。
【００２８】
前記の実施の形態では、エレベータのかご及び乗場のデザインシミュレーションについて説明したが、エスカレータに使用することもできる。
エスカレータは、デパート、ショッピングセンター、駅、空港など、設置環境によりデザインを変える必要があるため、特に設置環境を変えて表示することは、より適切なデザインのエスカレータを選択する上で有用である。
更に動く歩道、階段昇降機、リフトや立体駐車場などにも適用することができる。
【図面の簡単な説明】
【００２９】
【図１】本発明の実施の形態を示すフローチャートである。
【図２】本発明の実施の形態の仕様選択画面を示す図である。
【図３】本発明の実施の形態のかご仕様選択部を示す図である。
【図４】本発明の実施の形態の乗場仕様選択部を示す図である。
【図５】本発明の実施の形態の設置環境選択部を示す図である。
【図６】本発明の実施の形態の照光選択部を示す図である。
【図７】本発明の実施の形態の視点選択部を示す図である。
【図８】本発明の実施の形態の視認選択部を示す図である。
【図９】従来のシステムの構成を示すブロック図である。
【図１０】図９の動作説明図である。
【図１１】従来の電子モックアップ画面の説明図である。
【符号の説明】
【００３０】
１０  仕様選択画面
１１  項目選択部
１２  かごイメージ画面
１３  かご仕様表示部
１４  乗場イメージ画面
１５  乗場仕様表示部
２０  かご仕様選択部
３０  乗場仕様選択部
４０  設置環境選択部
５０  照光選択部
６０  視点選択部
７０  視認選択部
【図１】
2006232480.tif 000003
【図２】
2006232480.tif 000004
【図３】
2006232480.tif 000005
【図４】
2006232480.tif 000006
【図５】
2006232480.tif 000007
【図６】
2006232480.tif 000008
【図７】
2006232480.tif 000009
【図８】
2006232480.tif 000010
【図９】
2006232480.tif 000011
【図１０】
2006232480.tif 000012
【図１１】
2006232480.tif 000013